(57)【要約】【課題】本発明は、部品点数の削減、構成の簡略化、コストダウンが可能な同軸切替スイッチの提供を課題とする。【解決手段】本発明は、複数の回路（１４，１６）を切り替えて他の回路（１７）に接続する同軸切替スイッチ（１９）であって、所定の操作によって回転する回転軸（２１）と、前記回転軸（２１）の外周面に設けられ前記他の回路（１７）に接続された回転スイッチ端子（２２ａ，２２ｂ）と、前記複数の回路（１４，１６）のぞれぞれに接続されると共に、前記回転軸（２１）の周囲に配置され前記回転スイッチ端子（２２ａ，２２ｂ）に接続可能な複数の固定端子（２３ａ，２３ｂ）とを備え、前記所定の操作によって前記回転軸（２１）が所定の角度（β）だけ回転し、前記回転スイッチ端子（２２ａ，２２ｂ）が前記複数の固定端子（２３ａ，２３ｂ）に接続される。【選択図】図２
2006054571.tif 000002
【特許請求の範囲】
【請求項１】
複数の回路（１４，１６）を切り替えて他の回路（１７）に接続する同軸切替スイッチ（１９）であって、
所定の操作によって回転する回転軸（２１）と、
前記回転軸（２１）の外周面に設けられ前記他の回路（１７）に接続された回転スイッチ端子（２２ａ，２２ｂ）と、
前記複数の回路（１４，１６）のそれぞれに接続されると共に、前記回転軸（２１）の周囲に配置され前記回転スイッチ端子（２２ａ，２２ｂ）に接続可能な複数の固定端子（２３ａ，２３ｂ）とを備え、
前記所定の操作によって前記回転軸（２１）が所定の角度（β）回転することにより、前記回転スイッチ端子（２２ａ，２２ｂ）が、前記複数の固定端子（２３ａ，２３ｂ）に接続される同軸切替スイッチ。
【請求項２】
前記回転スイッチ端子（２２ａ，２２ｂ）が前記回転軸（２１）の外周面上に突出し、前記固定端子（２３ａ，２３ｂ）が前記回転軸（２１）の外周面に沿って湾曲する所定長さの円弧状に形成されている請求項１に記載の同軸切替スイッチ。
【請求項３】
互いに開閉自在に連結された第１のユニット（１０）及び第２のユニット（１１）と、前記第１のユニット（１０）に設けられた複数の回路（１４，１６）と、前記第２のユニット（１１）に設けられた他の回路（１７）と、前記第１のユニット（１０）の複数の回路（１４，１６）を切り替えて、前記第２のユニット（１１）の他の回路（１７）に接続する同軸切替スイッチ（１９）とを備え、
前記同軸切替スイッチ（１９）は、前記第１及び第２のユニット（１０，１１）の開閉操作に伴って回転する回転軸（２１）と、
前記回転軸（２１）に設けられ前記他の回路（１７）に接続された回転スイッチ端子（２２ａ，２２ｂ）と、
前記複数の回路（１４，１６）のそれぞれに接続されると共に、前記回転軸（２１）の周囲に配置され前記回転スイッチ端子（２２ａ，２２ｂ）に接続可能な複数の固定端子（２３ａ，２３ｂ）とを備え、
前記第１及び第２のユニット（１０，１１）の開閉操作に伴って前記回転軸（２１）が回転し、前記回転スイッチ端子（２２ａ，２２ｂ）が、前記複数の固定端子（２３ａ，２３ｂ）に接続される電子機器。
【請求項４】
互いに開閉自在に連結された表示部（１０）及び操作部（１１）と、前記表示部（１０）又は前記操作部（１１）に設けられた複数のアンテナ（１４，１６）と、前記操作部（１０）に設けられた送受信回路（１７）と、前記複数のアンテナ（１４，１６）を切り替えて前記送受信回路（１７）に接続する同軸切替スイッチ（１９）とを備え、
前記同軸切替スイッチ（１９）は、前記表示部（１０）及び前記操作部（１１）の開閉操作に伴って回転する回転軸（２１）と、
前記回転軸（２１）に設けられ前記送受信回路（１７）に接続された回転スイッチ端子（２２ａ，２２ｂ）と、
前記複数のアンテナ（１４，１６）のそれぞれに接続されると共に、前記回転軸（２１）の周囲に配置され前記回転スイッチ端子（２２ａ，２２ｂ）に接続可能な複数の固定端子（２３ａ，２３ｂ）とを備え、
前記表示部（１０）及び前記操作部（１１）の開閉操作に伴って前記回転軸（２１）が回転し、前記回転スイッチ端子（２２ａ，２２ｂ）が前記複数の固定端子（２３ａ，２３ｂ）に接続され、前記複数のアンテナ（１４，１６）が切り替えられて前記送受信回路（１７）に接続される通信機器。
【請求項５】
請求項４に記載の通信機器を有する携帯電話。
【請求項６】
請求項４に記載の通信機器を有するＰＨＳ。
【請求項７】
請求項４に記載の通信機器を有するＰＤＡ。
【発明の詳細な説明】
【技術分野】
【０００１】
本発明は、折り畳み型の携帯電話、ＰＨＳ（Personal Handy phone System）、ＰＤＡ（Personal Digital Assistant）等に好適な同軸切替スイッチ、電子機器及び通信機器に関する。
【背景技術】
【０００２】
表示部と操作部とが、互いに開閉自在に連結されている折り畳み型の携帯電話がある。この折り畳み型の携帯電話は、表示部と操作部とを折り畳んだ状態で受信待機状態となり、開いた状態で通話を行うのが普通である（特許文献１，２参照）。
【０００３】
また、携帯電話の基地局は、１つの周波数の電波を少しずつ時間をずらしながら複数の携帯電話にデータを送っている。各携帯電話は、時間をずらして送られたデータに同期して送信することにより、１つの周波数の電波を複数の携帯電話が互いに混信することなく通信できるように構成されている。
【０００４】
携帯電話は、一般に２つのアンテナを有しており、地域や時間によって受信感度が高い方のアンテナを選択している。また、携帯電話は基地局からの電波の強度を調べて基地局に報告しており、携帯電話を携帯している人の移動により別の基地局の電波の方が強くなった時に、交信先の基地局を変更する指示が出される。このようにして常に最良の交信が行われる。
【０００５】
従来の携帯電話においては、上記の受信感度が高い方のアンテナを選択するため、磁気センサーや切替回路などを用いてアンテナの切替を行っていた。
【特許文献１】特開２０００−１７４０７８号公報
【特許文献２】特開２０００−１２７２６号公報
【発明の開示】
【発明が解決しようとする課題】
【０００６】
しかしながら、従来の受信感度の切替が可能な折り畳み型の携帯電話は、部品点数が多く、構成が複雑でコストアップになるという問題があった。
【０００７】
このような問題は、携帯電話に限らずＰＨＳやＰＤＡなど、折り畳み型の通信機器や各種の電子機器に共通の問題である。
【０００８】
本発明は、このような問題に鑑みなされたもので、部品点数を少なくして構成を簡略化でき、これによりコストダウンが可能な同軸切替スイッチ、電子機器及び通信機器の提供を課題とする。
【課題を解決するための手段】
【０００９】
本発明は、前記課題を解決するため、以下の手段を採用した。すなわち、本発明は、複数の回路（１４，１６）を切り替えて他の回路（１７）に接続する同軸切替スイッチ（１９）であって、所定の操作によって回転する回転軸（２１）と、前記回転軸（２１）の外周面に設けられ前記他の回路（１７）に接続された回転スイッチ端子（２２ａ，２２ｂ）と、前記複数の回路（１４，１６）のぞれぞれに接続されると共に、前記回転軸（２１）の周囲に配置され前記回転スイッチ端子（２２ａ，２２ｂ）に接続可能な複数の固定端子（２３ａ，２３ｂ）とを備え、前記所定の操作によって前記回転軸（２１）が所定の角度（β）だけ回転し、前記回転スイッチ端子（２２ａ，２２ｂ）が、前記複数の固定端子（
２３ａ，２３ｂ）に接続されるように構成されている。
【００１０】
本発明では、回転軸（２１）と、この回転軸（２１）に設けられた回転スイッチ端子（２２ａ，２２ｂ）と、回転軸（２１）の周囲に配置された固定端子（２３ａ，２３ｂ）によって構成できるので、部品点数を削減できると共に構成を簡略化できる。
【００１１】
ここで、前記回転スイッチ端子（２２ａ，２２ｂ）を前記回転軸（２１）の外周面上に突出させ、前記固定端子（２３ａ，２３ｂ）を前記回転軸（２１）の外周面に沿って湾曲する所定長さの円弧状に形成できる。
【００１２】
この場合は、固定端子（２３ａ，２３ｂ）の湾曲方向における長さを調整することにより、回転スイッチ端子（２２ａ，２３ｂ）が固定端子（２３ａ，２３ｂ）に接続されるタイミングを調整できる。
【００１３】
また、本発明は、互いに開閉自在に連結された第１のユニット（１０）及び第２のユニット（１１）と、前記第１のユニット（１０）に設けられた複数の回路（１４，１６）と、前記第２のユニット（１１）に設けられた他の回路（１７）と、前記第１のユニット（１０）の前記複数の回路（１４，１６）を切り替えて、前記第２のユニット（１１）の他の回路（１７）に接続する同軸切替スイッチ（１９）とを備え、前記同軸切替スイッチ（１９）は、前記第１及び第２のユニット（１０，１１）の開閉操作に伴って回転する回転軸（２１）と、前記回転軸（２１）に設けられ前記他の回路（１７）に接続された回転スイッチ端子（２２ａ，２２ｂ）と、前記複数の回路（１４，１６）のそれぞれに接続されると共に、前記回転軸（２１）の周囲に配置され前記回転スイッチ端子（２２ａ，２２ｂ）に接続可能な複数の固定端子（２３ａ，２３ｂ）とを備え、前記第１及び第２のユニット（１０，１１）の開閉操作に伴って前記回転軸（２１）が回転し、前記回転スイッチ端子（２２ａ，２２ｂ）が前記複数の固定端子（２３ａ，２３ｂ）に接続されるように構成されている。
【００１４】
更に、本発明は、互いに開閉自在に連結された表示部（１０）及び操作部（１１）と、前記表示部（１０）又は前記操作部（１１）に設けられた複数のアンテナ（１４，１６）と、前記操作部（１０）に設けられた送受信回路（１７）と、前記複数のアンテナ（１４，１６）を切り替えて前記送受信回路（１７）に接続する同軸切替スイッチ（１９）とを備え、前記同軸切替スイッチ（１９）は、前記表示部（１０）及び前記操作部（１１）の開閉操作に伴って回転する回転軸（２１）と、前記回転軸（２１）に設けられ前記送受信回路（１７）に接続された回転スイッチ端子（２２ａ，２２ｂ）と、前記複数のアンテナ（１４，１６）のそれぞれに接続されると共に、前記回転軸（２１）の周囲に配置され前記回転スイッチ端子（２２ａ，２２ｂ）に接続可能な複数の固定端子（２３ａ，２３ｂ）とを備え、前記表示部（１０）及び前記操作部（１１）の開閉操作に伴って前記回転軸（２１）が回転し、前記回転スイッチ端子（２２ａ，２２ｂ）が、前記複数の固定端子（２３ａ，２３ｂ）に接続され、前記複数のアンテナ（１４，１６）が切り替えられて前記送受信回路（１７）に接続されるように構成されている。
【００１５】
本発明では、表示部（１０）と操作部（１１）との開閉操作によって複数のアンテナ（１４，１６）を切り替えることができ、これにより表示部（１０）と操作部（１１）との開閉状態に応じて送受信回路（１７）の送受信感度を調整できる。本発明は、折り畳み型の携帯電話、ＰＨＳ、ＰＤＡ等に好適である。
【００１６】
なお、以上述べた各構成は、本発明の趣旨を逸脱しない限り、互いに組み合わせることが可能である。
【発明の効果】
【００１７】
以上説明したように、本発明では、同軸切替スイッチが所定の操作によって回転する回転軸と、この回転軸の外周面に設けられた回転スイッチ端子と、回転軸の周囲に配置された複数の固定端子とで構成されるので、部品点数を少なくして構成を簡略化できる。
【００１８】
従って、この同軸切替スイッチ、及びこれを用いた各種の電子機器、或いは携帯電話、ＰＨＳ．ＰＤＡなど各種の通信機器のコストダウンが可能になる。
【発明を実施するための最良の形態】
【００１９】
（第１実施形態）
以下、本発明の第１実施形態を添付した図１〜図１１に基づいて説明する。図１は、本発明の折り畳み型の携帯電話１を示す。この携帯電話１は、第１のユニットである表示部１０と第２のユニットである操作部１１とを有している。これらの表示部１０と操作部１１は、ヒンジ部１２を介して互いに開閉自在に連結されている。図１は表示部１０と操作部１１とを限界まで開いた状態を示している。
【００２０】
表示部１０には、液晶ディスプレイ１３が設けられている。また、この表示部１０内には、例えば板状の内蔵アンテナ１４が設けられている。操作部１１には、各種の押しボタン１５，１５・・・と、例えばホイップ状の外部アンテナ１６と、送受信回路であるＲＦ（高周波）回路１７を有する基板１８とが設けられている。基板１８には、ＲＦ回路１７以外に各種の回路などが設けられている。
【００２１】
更に、この携帯電話１は、ヒンジ部１２内に設けられた同軸切替スイッチ１９を有している。この同軸切替スイッチ１９は、図２に示すように、表示部１０及び操作部１１（図１参照）の開閉操作に伴って回転する回転軸２１と、この回転軸２１の外周面上に設けられＲＦ回路１７に接続された回転スイッチ端子２２ａ，２２ｂ（図３参照）とを備えている。
【００２２】
また、この同軸切替スイッチ１９は、上記の内蔵アンテナ１４及び外部アンテナ１６（図１参照）のそれぞれに接続された固定端子２３ａ，２３ｂを備えている。固定端子２３ａ，２３ｂは、Ｌ字状の端子支持部２３Ｌ，２３Ｌを通してＦＰＣ２６の導電パッド部Ｐに半田付けされ、そこから延びる導線Ｌを通して、それぞれ、内蔵アンテナ１４，外部アンテナ１６に接続される。なお、図２中の符号２４は回転軸２１及び固定端子２３ａ，２３ｂを保護するグランドシェル、２５はグランドシェル２４を支持する支持部材、２６は固定端子２３ａ，２３ｂを支持するアース端子、２７は回転スイッチ端子２２ａ，２２ｂをＲＦ回路１７に接続する同軸ケーブルの信号線である。支持部材２５は、ＦＰＣ２６に半田付けされ、これによりグランドを取ることができる。なお、この実施の形態では、グランドシェル２４は円筒形状に形成されているが、この形状に限定されるものではない。
【００２３】
上記の固定端子２３ａ，２３ｂは、図３に示すように、回転軸２１に設けられた回転スイッチ端子２２ａ，２２ｂに接続可能な位置に配置されている。なお、図３では両方の固定端子２３ａ，２３ｂが回転スイッチ端子２２ａ，２２ｂに接続されている状態を示しているが、表示部１０を閉状態から開状態にすることにより、回転軸２１が所定の角度回転すると、回転軸２１の回転に伴って所定のタイミングで何れか一方又は両方が接続される。
【００２４】
上記の回転軸２１の外周面に設けられた回転スイッチ端子２２ａ，２２ｂは、図４に示すように、円形の突起状に形成されている。また、本例では、回転スイッチ端子２２ａ，２２ｂが二個設けられている。これらの回転スイッチ端子２２ａ，２２ｂは、回転軸２１の中心軸線方向及び円周方向に互いに適宜な間隔をあけて配置されている。
【００２５】
回転軸２１の外周面に沿って配置された固定端子２３ａ，２３ｂは、図５に示すように、その断面が円弧状に湾曲し回転軸２１の外周面に沿って配置されている。これらの固定端子２３ａ，２３ｂの湾曲方向における長さは、使用条件に応じて所定の寸法に設定されている。
【００２６】
上記の回転軸２１は、図６に示すように、グランドシェル２４の略中心に配置されている。また、グランドシェル２４は、図７に示すように、その両端部が保持台３０，３０によって支持されている。
【００２７】
次に、この同軸切替スイッチ１９の作用を説明する。本例では、図８に示すように、回転軸２１に二個の回転スイッチ端子２２ａ，２２ｂが設けられている。これらの回転スイッチ端子２２ａ，２２ｂは、回転軸２１の中心軸線方向に所定の間隔をあけて配置されている。
【００２８】
また、本例ではこれらの回転スイッチ端子２２ａ，２２ｂが、回転軸２１の円周方向に１８０度の間隔をあけて配置されている。
【００２９】
固定端子２３ａ，２３ｂは、それぞれ回転スイッチ端子２２ａ，２２ｂの一方にのみ接続可能な寸法に形成されている。本例では、一方の固定端子２３ａが一方の回転スイッチ端子２２ａにのみ接続可能な位置に配置され、他方の固定端子２３ｂが他方の回転スイッチ端子２２ｂにのみ接続可能な位置に配置されている。
【００３０】
更に、これらの固定端子２３ａ，２３ｂは、その中心角θ１，θ２が所定の角度に設定されている。そして、一方の固定端子２３ａと他方の固定端子２３ｂとが、それぞれ湾曲方向の一方の端縁を回転軸２１の直径線Ｋに合わせた状態で、互いに反対方向に延びている。
【００３１】
なお、図８は携帯電話１（図１参照）の表示部１０と操作部１１とを完全に閉じた時における、回転スイッチ端子２２ａ，２２ｂ及び固定端子２３ａ、２３ｂの位置関係を示している。
【００３２】
携帯電話１の表示部１０と操作部１１とが閉じられている時には、図８に示すように、同軸切替スイッチ１９の両方の回転スイッチ端子２２ａ，２２ｂが、回転軸２１の直径線Ｋ上に配置される。
【００３３】
このときには、一方の回転スイッチ端子２２ａのみが固定端子２３ａに接続され、他方の回転スイッチ端子２２ｂは固定端子２３ｂに接続されない。これにより、内蔵アンテナ１４のみがＲＦ回路１７（図１参照）に接続され、外部アンテナ１６はＲＦ回路１７に接続されない。
【００３４】
図９に示すように、表示部１０と操作部１１との開き角度βが０≦β≦３０°になった場合は、表示部１０と操作部１１とが完全に閉じている時と同様に、一方の回転スイッチ端子２２ａが一方の固定端子２３ａに接続される。このとき、他方の回転スイッチ端子２２ｂは、他方の固定端子２３ｂに接続されない。
【００３５】
従って、このときには、内蔵アンテナ１４のみがＲＦ回路１７（図１参照）に接続され、外部アンテナ１６はＲＦ回路１７に接続されない。
【００３６】
図１０に示すように、表示部１０と操作部１１との開き角度βが、３０°＜β≦１５０
°になると、一方の回転スイッチ端子２２ａが一方の固定端子２３ａに接続される。又、他方の回転スイッチ端子２２ｂも他方の固定端子２３ｂに接続される。
【００３７】
これにより、内蔵アンテナ１４と外部アンテナ１６の両方がＲＦ回路１７に接続される。
【００３８】
図１１に示すように、表示部１０と操作部１１とが更に開かれて、その開き角度βが１５０°＜β≦１８０°になると、一方の回転スイッチ端子２２ａと一方の固定端子２３ａとの接続が解除され、他方の回転スイッチ端子２２ｂと他方の固定端子２３ｂとの接続が継続される。
【００３９】
これにより、外部アンテナ１６のみがＲＦ回路１７に接続され、内蔵アンテナ１４はＲＦ回路１７に接続されない。
【００４０】
上記の例では、固定端子２３ａ，２３ｂの中心角θ１，θ２を１５０°に設定したが、この中心角θ１、θ２を例えば１２０°にすることができる。これにより、内蔵アンテナ１４と外部アンテナ１６を切り替えるタイミングを調整できる。
【００４１】
このように本発明の同軸切替スイッチ１９は、回転軸２１と、この回転軸２１に設けられた突起状の回転スイッチ端子２２ａ，２２ｂと、回転軸２１の周囲に配置された円弧状の固定端子２３ａ，２３ｂとで構成できるので、部品点数を少なくできると共に、構成を簡略化できる。従って、同軸切替スイッチ１９及びこれを用いた携帯電話１のコストダウンが可能になる。
【００４２】
また、固定端子２３ａ，２３ｂを円弧状に形成したので、その湾曲方向の長さを調整することによって、内蔵アンテナ１４と外部アンテナ１６を切り替えるタイミングを任意に調整できる。
【００４３】
なお、上記の実施例では、外部アンテナ１６を操作部１１に設けたが、この外部アンテナ１６は表示部１０に設けることもできる。
【００４４】
また、上記の実施例では本発明を折り畳み型の携帯電話１に適用した場合について説明したが、本発明はこれに限らず、折り畳み型のＰＨＳ，ＰＤＡなど各種の通信機器、或いは各種の電子機器に適用できる。
【００４５】
更に、上記の実施例では、同軸切替スイッチ１９によって、内蔵アンテナ１４と外部アンテナ１６とを切り替えてＲＦ回路１７に接続する場合について説明したが、本発明の同軸切替スイッチはアンテナ以外の各種の回路を切り替えて、他の回路に接続する場合に適用できる。この場合、切り替えるべき回路の数に応じて、回転スイッチ端子及び固定端子の数を設定すればよい。
【００４６】
（第２実施形態）
図１２は、本発明に係る第２実施形態の同軸切替スイッチ４０を示す。この同軸切替スイッチ４０は、フレキシブル基板４１に設けられた板状の内蔵アンテナ４２と、このフレキシブル基板４１に接続された外部アンテナ４３とを切り替えて、他の基板７０に設けられたＲＦ回路７１に接続するように構成されている。
【００４７】
この同軸切替スイッチ４０は、互いに組み付けられる第１接触部材４５及び第２接触部材４６を有している。第１接触部材４５は、図１３に示すように、第１グランド用シェル４７と、第２グランド用シェル４８を有している。
【００４８】
第１接触部材４５は、図１４に示すように、フレキシブル基板４１に固定するための固定部５０と、円筒部５１とを有している。固定部５０の両側には、図１５に示すように、台座５２，５２が設けられている。また、台座５２，５２には、ネジ孔５３，５３が設けられている。上記の第２グランド用シェル４８は、薄肉の円筒状に形成され、円筒部５１に被せられている。
【００４９】
第１接触部材４５の内側には空洞５４が設けられている。この空洞５４内には、板バネ状の固定端子５５ａ，５５ｂが設けられている。これらの固定端子５５ａ，５５ｂは、略ヘの字状に折り曲げられている。
【００５０】
固定端子５５ａ，５５ｂの短辺側の一端部には、互いに逆方向に折り曲げられた接触部５６ａ，５６ｂが設けられている。これらの固定端子５５ａ，５５ｂの他端部は、固定部５０から突出している。この突出した固定端子５５ａ，５５ｂの端部には、内蔵アンテナ４２と外部アンテナ４３が接続される。
【００５１】
上記の第２の接触部材４６は、図１６に示すように、第３グランド用シェル６０と、第４グランド用シェル６１とを有している。
【００５２】
第２接触部材４６は、図１７に示すように、携帯電話などの筐体に固定するための固定部６２と、この固定部６２の両側に設けられた台座６３とを有している。台座６３には、ネジ孔６４が設けられている。
【００５３】
固定部６２の内側には、回転軸６５が回転自在に配置されている。この回転軸６５の外周面には、一対の回転スイッチ端子６６ａ，６６ｂが軸方向及び円周方向に適宜な間隔をあけて設けられている。この回転軸６２の末端（図１７中右側）には、同軸ケーブル７３の内部導線（図示せず）がはんだ付けされている。これにより、この内部導線が回転軸６５に電気的に接続されている。
【００５４】
また、同軸ケーブル７３の外部導体は第３グランド用シェル６０の一部分で加締められている。第４グランド用シェル６１には、図１６に示すように、接触片７４が設けられている。この接触片７４は、第１接触部材４５の第２グランド用シェル４８に接触する。
【００５５】
上記の回転スイッチ端子６６ａ，６６ｂは、図１８に示すように、カム状に形成されている。  そして、回転スイッチ端子６６ａ，６６ｂの回転方向の両端部は曲面状に形成されている。これらの回転スイッチ端子６６ａ，６６ｂは、回転軸６５の内側又は外側に設けられた配線（図示せず）を介して上記のＲＦ回路７１（図１２参照）に接続される。
【００５６】
この同軸切替スイッチ４０は、図１９に示すように、第１接触部材４５と第２接触部材４６が嵌合されて組み立てられる。このとき、第１接触部材４５の第２グランド用シェル４８が、第２接触部材４６の第４グランド用シェル６１内に挿入される。
【００５７】
これにより、第１接触部材４５の第２グランド用シェル４８と、第２接触部材４６の第４グランド用シェル６１とが接触する。そして、グランドは、同軸ケーブル７３の外部導線、第２接触部材の第３及び第４グランド用シェル６０，６１、第１接触部材４５の第１及び第２グランド用シェル４７，４８を介してフレキシブル基板４１のグランド端子（図示せず）と接続される。
【００５８】
また、第１接触部材４５と第２接触部材４６は、例えば携帯電話の筐体にネジ止めされて固定される。そして、携帯電話の操作部と表示部とを開閉することにより、回転軸６５
が回動し、操作部と表示部との開閉角度によって内蔵アンテナ４２と外部アンテナ４３とが切り替えられてＲＦ回路７１に接続される。
【００５９】
この同軸切替スイッチ４０は、回転スイッチ端子６６ａ，６６ｂがカム状に形成され、その回転方向の端部が曲面状に形成されているので、回転スイッチ端子６６ａ，６６ｂが固定端子５５ａ，５５ｂに接続する際に衝撃がなく、滑らかに接続される。
【図面の簡単な説明】
【００６０】
【図１】本発明に係る第１実施形態の携帯電話を示す斜視図である。
【図２】本発明に係る第１実施形態の同軸切替スイッチを示す斜視図である。
【図３】本発明に係る第１実施形態の同軸切替スイッチを示すブロック図である。
【図４】本発明に係る第１実施形態の回転軸及び回転スイッチ端子を示す斜視図である。
【図５】本発明に係る第１実施形態の固定端子を示す斜視図である。
【図６】本発明に係る第１実施形態のカバー及び保持台を示す斜視図である。
【図７】本発明に係る第１実施形態の保持台を示す斜視図である。
【図８】本発明に係る第１実施形態の回転スイッチ端子と固定端子との関係を示す断面図である。
【図９】本発明に係る第１実施形態の作用を説明する断面図である。
【図１０】本発明に係る第１実施形態の作用を説明する断面図である。
【図１１】本発明に係る第１実施形態の作用を説明する断面図である。
【図１２】本発明に係る第２実施形態の同軸切替スイッチを示す斜視図である。
【図１３】本発明に係る第２実施形態の第１接触部材を示す斜視図である。
【図１４】図１３のＡ−Ａ断面図である。
【図１５】本発明に係る第２実施形態の固定端子を示す図である。
【図１６】本発明に係る第２実施形態の第２接触部材を示す斜視図である。
【図１７】本発明に係る第２実施形態の回転軸及び回転スイッチ端子を示す図である。
【図１８】本発明に係る第２実施形態の回転スイッチ端子の形状を示す図であり、図１７のＢ矢視図である。
【図１９】本発明に係る第２実施形態の組み立て状態を示す断面図であり、図１２のＣ−Ｃ断面図である。
【符号の説明】
【００６１】
１    携帯電話
１０    表示部
１１    操作部
１２    ヒンジ部
１３    液晶ディスプレイ
１４    内蔵アンテナ
１５    ボタン
１６    外部アンテナ
１７    回路
１８    基板
１９    同軸切替スイッチ
２１    回転軸
２２ａ，２２ｂ    回転スイッチ端子
２３ａ，２３ｂ    固定端子
２４    グランドシェル
２６    ＦＰＣ
３０    保持台
４０    同軸切替スイッチ
４１    フレキシブル基板
４２    内蔵アンテナ
４３    外部アンテナ
４４    ＲＦ回路
４５    第１接触部材
４６    第２接触部材
４６ａ，４６ｂ    回転スイッチ端子
４７    第１グランド用シェル
４７ａ，４７ｂ    固定端子
４８    第２グランド用シェル
５０    固定部
５１    円筒部
５２    台座
５３    ネジ孔
５４    空洞
５５ａ，５５ｂ    固定端子
５６ａ，５６ｂ    接触部
６０    第３グランド用シェル
６１    第４グランド用シェル
６２    固定部
６３    台座
６４    ネジ孔
６５    回転軸
６６ａ，６６ｂ    回転スイッチ端子
７０    基板
７１    ＲＦ回路
７３    同軸ケーブル
７４    接触片
β    回転軸の回転角度
θ１，θ２    回転スイッチ端子の中心角
【図１】
2006054571.tif 000003
【図２】
2006054571.tif 000004
【図３】
2006054571.tif 000005
【図４】
2006054571.tif 000006
【図５】
2006054571.tif 000007
【図６】
2006054571.tif 000008
【図７】
2006054571.tif 000009
【図８】
2006054571.tif 000010
【図９】
2006054571.tif 000011
【図１０】
2006054571.tif 000012
【図１１】
2006054571.tif 000013
【図１２】
2006054571.tif 000014
【図１３】
2006054571.tif 000015
【図１４】
2006054571.tif 000016
【図１５】
2006054571.tif 000017
【図１６】
2006054571.tif 000018
【図１７】
2006054571.tif 000019
【図１８】
2006054571.tif 000020
【図１９】
2006054571.tif 000021